(57)【要約】【課題】あらかじめ登録されてはいないが、ユーザが頻繁に使用する俗語や方言による語句の入力をもとに、あるいは、外国人あるいは活舌が悪い人の発話による語句の入力をもとに、当該語句に関する情報の検索を行うことができる情報検索装置を提供すること。【解決手段】本発明に係る情報検索装置１は、ユーザにより入力された語句をもとにデータベース内の検索を行い当該語句に関する情報を提示する情報検索装置において、前記検索の結果、当該語句に関する情報が抽出されなかった場合であって、その後の他の条件によるデータベース内の再検索により情報が抽出された場合に、前記語句と当該抽出された情報とを関連付けて登録候補データを作成し、当該登録候補データを前記データベースに登録することを特徴とする。【選択図】図１
2007164225.tif 000002
【特許請求の範囲】
【請求項１】
ユーザにより入力された語句をもとにデータベース内の検索を行い当該語句に関する情報を提示する情報検索装置において、
前記検索の結果、当該語句に関する情報が抽出されなかった場合であって、その後の他の条件によるデータベース内の再検索により情報が抽出された場合に、前記語句と当該抽出された情報とを関連付けて登録候補データを作成し、当該登録候補データを前記データベースに登録することを特徴とする情報検索装置。
【請求項２】
前記登録候補データの前記データベースへの登録を、前記登録候補データの作成が所定回数以上行われた場合に、行うことを特徴とする請求項１に記載の情報検索装置。
【請求項３】
前記情報検索装置は、一以上の車両に各々搭載される車載情報検索装置と、当該車載情報検索装置と登録候補データを送受信可能な路側センタを備えることを特徴とする請求項１もしくは２に記載の情報検索装置。
【請求項４】
前記路側センタは、前記登録候補データの作成が所定回数以上行われた場合に、前記登録候補データを車載情報検索装置に送信することを特徴とする請求項３に記載の情報検索装置。
【請求項５】
前記路側センタは、前記登録候補データを送信した車載情報検索装置の属性に基づき、前記登録候補データの送信先の車載情報検索装置を選定することを特徴とする請求項４に記載の情報検索装置。
【発明の詳細な説明】
【技術分野】
【０００１】
本発明は、車載用カーナビゲーション装置に代表される、情報検索装置に関する。
【背景技術】
【０００２】
従来、上述したような情報検索装置としては、例えば、特許文献１に記載されたような、車載用カーナビゲーション装置に適用して好適な、地図表示装置がある。この装置においては、地名や施設名等の正確な呼称により入力された語句をもとに情報を検索できることはもちろん、誤って入力されるあるいは省略して入力される可能性の高い語句の呼称について、それらの不正確な呼称を認識対象語句としてあらかじめ登録しておくことにより、不正確な呼称により語句が入力された場合でも、当該不正確な呼称による語句入力をもとに、地名あるいは施設の情報を検索することを可能としている。
【特許文献１】特開平９−４２９８８号公報
【発明の開示】
【発明が解決しようとする課題】
【０００３】
しかしながら、このような情報検索装置においては、あらかじめ登録された認識対象語句をもとにした検索しか行うことができず、登録されてはいないが、ユーザが頻繁に使用する俗語や方言による語句の入力をもとに、当該語句に関する情報の検索を行うことができないという問題があった。また、外国人あるいは活舌が悪い人の発話による語句の入力をもとに、当該語句に関する情報の検索を行うことができないという問題があった。
【０００４】
本発明は、上記問題に鑑み、あらかじめ登録されてはいないが、ユーザが頻繁に使用する俗語や方言による語句の入力をもとに、あるいは、外国人あるいは活舌が悪い人の発話による語句の入力をもとに、当該語句に関する情報の検索を行うことができる情報検索装置を提供することを目的とする。
【課題を解決するための手段】
【０００５】
上記の問題を解決するため、本発明に係る情報検索装置は、
ユーザにより入力された語句をもとにデータベース内の検索を行い当該語句に関する情報を提示する情報検索装置において、
前記検索の結果、当該語句に関する情報が抽出されなかった場合であって、その後の他の条件によるデータベース内の再検索により情報が抽出された場合に、前記語句と当該抽出された情報とを関連付けて登録候補データを作成し、当該登録候補データを前記データベースに登録することを特徴とする。
【０００６】
ここで、前記登録候補データの前記データベースへの登録を、前記登録候補データの作成が所定回数以上行われた場合に、行ってもよい。
【０００７】
また、前記情報検索装置は、一以上の車両に各々搭載される車載情報検索装置と、当該車載情報検索装置と登録候補データを送受信可能な路側センタを備えてもよい。
【０００８】
加えて、前記路側センタは、前記登録候補データの作成が所定回数以上行われた場合に、前記登録候補データを車載情報検索装置に送信してもよい。
【０００９】
さらに、前記路側センタは、前記登録候補データを送信した車載情報検索装置の属性に基づき、前記登録候補データの送信先の車載情報検索装置を選定してもよい。
【発明の効果】
【００１０】
本発明によれば、あらかじめ登録されてはいないが、ユーザが頻繁に使用する俗語や方言による語句の入力に基づいて、当該語句に関連付けられた情報の検索を行うことができる。あるいは外国人あるいは活舌が悪い人の発話による語句の入力に基づいて、当該語句に関連付けられた情報の検索を行うことができる。
【発明を実施するための最良の形態】
【００１１】
以下、本発明を実施するための最良の形態について、添付図面を参照しながら説明する。図１は、本発明による情報検索装置の一実施例を示すブロック図である。
【００１２】
本実施例の情報検索装置１は、一以上の車両に各々搭載される車載情報検索装置２と、地上側に設置される路側センタ３を備えている。
【００１３】
車載情報検索装置２は、語句を入力する入力部４と、入力部４から入力された語句をもとにデータベースＤＢ内を検索する検索部５と、検索した情報を地図上に表示する表示部６と、登録候補データを作成する登録候補データ作成部７と、登録候補データを路側センタ３に送信する送信部８と、路側センタ３から送信される登録候補データを受信する受信部９と、受信部９が受信した登録候補データを検索対象データとしてデータベースＤＢに登録する登録部１０とから構成される。
【００１４】
路側センタ３は、車載情報検索装置２の送信部８から登録候補データを受信する受信部１１と、ＮＧワードデータ（例えば放送禁止用語や差別用語などの公共性がない語句）との比較により登録候補データがデータとして適切か否かを判定し記録媒体１３に格納する判定部１２と、受信部１１が受信し判定部１２によりデータとして適切と判定され、記録媒体１３に格納された登録候補データの件数から当該登録候補データを車載情報検索装置２に送信してデータベースＤＢに登録するかどうかを判定する登録判定部１４と、登録候補データに含まれる車両の属性（車種、地域、ユーザの性別や年齢や国籍など）に基づき送信先を選定する送信先選定部１５と、登録候補データを車載情報検索装置２に送信する送信部１６とから構成される。
【００１５】
入力部４は、情報（地名や施設名の地図上の位置等）をデータベースＤＢに基づき検索するための条件としての語句の入力を受け付けるものである。入力部４における語句の入力は、タッチパネルやリモコンを利用した文字によるものでも、音声認識装置を利用した音声によるものでもよい。また、検索条件としての語句としては、地名や施設名、それらの俗称または方言、ジャンル、住所、電話番号などを入力することが可能である。
【００１６】
検索部５は、入力された語句をもとにした検索の結果、当該語句に関する情報が抽出されない場合に、その旨をユーザに通知し、入力された語句を、登録候補語句として保持する。
【００１７】
登録候補データ作成部７は、前記通知にユーザが応じて行った他の条件によるデータベースＤＢ内の再検索により情報が抽出された場合に、検索部５が保持している登録候補語句と当該抽出された情報とを関連付けて登録候補データを作成する。
【００１８】
判定部１２において、ＮＧワードデータとの比較により登録候補データがデータとして適切か否かを判定するのは、例えば、放送禁止用語や差別用語等の語句をデータベースＤＢに登録することを除外することを可能にするためである。
【００１９】
登録判定部１４は、登録候補データのデータベースＤＢへの登録を、判定部１２により適切と判断された登録候補データの作成が所定回数以上行われた場合に、行うことを判定する。また、登録判定部１４は、登録候補データの作成が所定回数以上行われた場合に、登録候補データに送信先データを関連付けて登録データを作成して、当該登録データを車載情報検索装置２に送信することを判定する。
【００２０】
なお、車載情報検索装置２の、検索部５、登録候補データ作成部７、登録部１０は、周知のＣＰＵ、ＲＯＭ、ＲＡＭおよびこれらを相互に接続するバスラインを備えるコンピュータにより構成される。また、路側センタ３の登録判定部１４、送信先選定部１５も同様である。
【００２１】
図２は、上記のように構成された情報検索装置１における、処理内容を示すフローチャートである。
【００２２】
図２中左側は車載情報検索装置２内の処理内容を、右側は路側センタ３内の処理内容を示す。
【００２３】
Ｓ１において、ユーザにより検索条件としての語句が入力される。Ｓ２において、当該語句をもとに前述したデータベースＤＢ内の検索が行われ、Ｓ３において、検索した結果、当該語句に関する情報が抽出されない場合に、その旨をユーザに通知し、入力された語句を、登録候補語句として保持する。加えて、ユーザに対して他の条件（異なる地名あるいは施設名、ジャンル、住所、電話番号等）による再検索を要求する。さらに、Ｓ２において、前記通知に応答してユーザが入力する別の検索条件をもとにしたデータベース内の再検索により、情報が抽出された場合に、Ｓ４において、登録候補語句と当該抽出された情報とを関連付けて登録候補データを作成し、Ｓ５において、当該登録候補データを、路側センタ３側に送信する。
【００２４】
Ｓ６において、車載情報検索装置２が送信した登録候補データを受信し、判定部１２が当該登録候補データの登録候補語句をＮＧワードデータと比較して、当該登録候補語句がＮＧワードでないと判定された場合に、当該登録候補データを記録媒体１３に格納する。Ｓ７において記録媒体１３内の当該登録候補データの格納数つまりは作成数をカウントし、Ｓ８において、当該登録候補データの作成数が所定回数ｎ以上であるかを判定し、所定回数ｎ以上である場合には当該登録候補データを登録すると判定する。
【００２５】
さらに、Ｓ９において、当該登録候補データの送信先を、登録候補データに含まれる車両の属性（車種、地域、ユーザの性別や年齢や国籍など）ごとの作成頻度に基づき選定し、Ｓ１０において、選定した送信先を当該登録候補データに関連付けて登録データを作成し、Ｓ１１において、当該登録データを車載情報検索装置２に送信する。
【００２６】
Ｓ１２において、路側センタ３より送信された登録データが受信され、Ｓ１３において、当該登録データを前記データベースＤＢに登録する。
【００２７】
この場合において、一つの地名または施設名に対応する、俗称あるいは方言等の語句の登録データの登録可能数は、所定数ｍ以下とし、前記登録時に既に所定数ｍの異なる語句の登録データがデータベースＤＢ内に登録されている場合は、使用頻度の低い語句の登録データを削除することもできる。
【００２８】
これにより、あらかじめ登録されてはいないが、ユーザが頻繁に使用する俗語や方言による語句の入力に対応する情報と当該語句とを関連付けて、新たに検索対象データとしてデータベースに登録することができるので、ユーザが頻繁に使用する登録されていない語句をもとに情報の検索を行うことができる。
【００２９】
あるいは、外国人または活舌が悪い人の発話による語句の入力についても、当該語句に対応する情報と当該語句とを関連付けて、新たに検索対象データとしてデータベースに登録することができるので、外国人あるいは活舌の悪い人の発話による語句をもとに情報の検索を行うことができる。つまり、情報検索装置に学習機能および自動的なデータベース作成機能をもたせることができる。
【００３０】
なお、本実施例においては、情報検索装置を、一以上の車両に各々搭載される車載情報検索装置と、当該車載情報検索装置と登録候補データを送受信可能な路側センタを備えて構成している。これにより、異なる複数のユーザが入力した、頻繁に使用する俗語や方言による語句の入力、あるいは、外国人や活舌の悪い発話による語句の入力についてより多くの情報を路側センタにより一元的に収集して、登録候補データのデータベースへの登録の判定をなるべく多くのユーザの語句の入力に基づいて行うことができる。
【００３１】
図３は、本発明による情報検索装置の一実施例をより具体的に示すブロック図である。
【００３２】
ここでは具体的な施設名として、俗称セントレア、正式名称中部国際空港を本発明による情報検索装置により検索した場合を示す。
【００３３】
図３に示すように、車載情報検索装置２が複数あり、当該装置２が例えば東海エリアのＡ車、Ｂ車および、関東エリアのＣ車に搭載されていたとする。
【００３４】
路側センタ３については地上側の任意の場所に設置可能である。
【００３５】
Ａ車に搭載された車載情報検索装置２において、ユーザが語句として「セントレア」を入力し検索を行って、まず当該語句に関する情報なしとの通知をユーザに行うとともに、他の条件（異なる地名あるいは施設名、ジャンル、住所、電話番号等）による再検索をユーザに要求し、「セントレア」を登録候補語句として保持する。そこで、当該通知にユーザが応じて行った他の条件（例えば、ジャンル＝空港、地域＝愛知県）によるデータベースＤＢ内の再検索により、「中部国際空港」に関する情報が抽出された場合に、登録候補語句としての「セントレア」と情報としての「中部国際空港」とを関連付け、さらにＡ車の属性（地域＝名古屋）を含めて登録候補データを作成し、当該登録候補データを、路側センタ３側に送信する。
【００３６】
同様に、Ｂ車に搭載された車載情報検索装置２において、ユーザが語句として「セントレア」を入力し検索を行って、当該語句に関する情報なしとの通知を受けて、他の条件（異なる地名あるいは施設名、ジャンル、住所、電話番号等）による再検索をユーザに要求し、「セントレア」を登録候補語句として保持する。そこで、当該通知にユーザが応じて行った他の条件（例えば、地域＝愛知県、電話番号＝０５６９）によるデータベースＤＢ内の再検索により、「中部国際空港」に関する情報が抽出された場合に、登録候補語句としての「セントレア」と情報としての「中部国際空港」とを関連付け、さらにＢ車の属性（地域、岐阜）を含めて登録候補データを作成し、当該登録候補データを、路側センタ３側に送信する。
【００３７】
路側センタ３には、上述したようにして、複数の車載情報検索装置２から「セントレア」と「中部国際空港」とを関連付けた登録候補データが送信されて、記憶媒体１３に格納されている。そして格納された、同一の登録候補語句「セントレア」に対応する登録候補データの格納数つまりは作成数が、所定回数５０件を超えた場合に、この登録候補データをデータベースに検索対象データとして登録すると判定するとともに、送信先を東海地方に選定し、当該送信先を登録候補データに関連付けて、登録データを作成して、選定された送信先の車載情報検索装置２に登録データを送信する。
【００３８】
登録データを受信したそれぞれの車載情報検索装置２は、当該車載情報検索装置２内のデータベースに登録データを検索対象データとして登録する。なお、請求項中では登録候補データを送信するあるいは登録すると記載しているが、本実施例では、登録候補データに送信先のデータを加えたものを、説明の便宜上、登録データと記載している。
【００３９】
このように全国各地からの登録候補データを一元的に路側センタ３において収集し、収集された登録候補データの、それぞれの属性に基づく作成数をカウントすることにより、当該登録候補データを登録するかどうかを判定することができる。
【００４０】
図４は、本発明による情報検索装置の他の実施例を示すブロック図である。
【００４１】
図１に示した実施例に比べて、路側センタ内に設置されていた登録判定部１２を車載情報検索装置２内に設置して、路側センタを廃して、登録候補データをカウントして登録するかどうかの判定を車載情報検索装置２内で行う構成となっている点が異なる。
【００４２】
これにともない、車載情報検索装置２の送信部８、受信部９も廃されるとともに、ＮＧワードデータとの比較により登録候補データがデータとして適切か否かを判定する判定部１２も、他の車両と検索対象データを共有しないので、公共性の要求が少ないため廃される。
【００４３】
これによっても、あらかじめ登録されていない、ユーザが頻繁に使用する俗語や方言による語句の入力に対応する情報と当該語句とを関連付けて、新たに検索対象データとしてデータベースに登録することができる。もちろんこの場合は、同一のユーザが入力する俗語や方言等の語句のみに基づいて、登録候補データの作成がなされ、当該登録データを登録するかどうかの判定もなされることになる。
【００４４】
この場合、ユーザ個人の嗜好を迅速に反映するため、あるいは同じ検索の失敗をしないために、登録候補データの検索対象データとしての登録の判定に用いる登録候補データの作成数の必要な所定回数ｎを、図１に示した実施例（ｎ＝５０）に比して少なくすることが好ましい。
【００４５】
なお、送信先の選定は、車両の属性のうち上述したような地域による選定に限られず、車種、ユーザの性別や年齢や国籍などにより行うことが可能である。特に国籍により送信先の選定を行うと、外国人の発話による語句をもとに新たな検索対象データを作成して、当該語句に関する情報の検索ができる。
【００４６】
以上本発明の好ましい実施例について詳細に説明したが、本発明は上述した実施例に制限されることなく、本発明の範囲を逸脱することなく、上述した実施例に種々の変形および置換を加えることができる。
【図面の簡単な説明】
【００４７】
【図１】本発明による情報検索装置の一実施例を示すブロック図である。
【図２】本発明による情報検索装置の一実施例の処理内容を示すフローチャートである。
【図３】本発明による情報検索装置の一実施例をより具体的に示すブロック図である。
【図４】本発明による情報検索装置の他の実施例を示すブロック図である。
【符号の説明】
【００４８】
１      情報検索装置
２      車載情報検索装置
３      路側センタ
４      入力部
５      検索部
６      表示部
７      登録候補データ作成部
８      送信部
９      受信部
１０    登録部
１１    受信部
１２    判定部
１３    記録媒体
１４    登録判定部
１５    送信先選定部
１６    送信部
【図１】
2007164225.tif 000003
【図２】
2007164225.tif 000004
【図３】
2007164225.tif 000005
【図４】
2007164225.tif 000006